(57)【要約】【課題】端末が正しい位置でかつ正しい姿勢でなければセットしされないようにし、電気的接続部の破損、変形を防止し、電気的接続不良を防止できる端末置き台を得る。【解決手段】端末１０を支持する端末受け部２２と、端末受け部２２に設けられ端末受け部にセットされる端末１０の荷重によって移動する可動体３０と、可動体３０に設けられていて端末１０の荷重で可動体３０が移動することにより端末１０側の接点に接触する可動接点４２と、可動体３０と可動接点４２との間に介在し可動接点４２を端末側の接点に弾性力によって押し付ける弾性体４０とを備える。可動接点４２は、端末置き台本体２４に形成された孔２８から外方に進出しかつ後退することができるように構成され、可動体３０に端末１０の荷重がかからない状態では端末置き台本体１４から後退する。【選択図】  図１
2004310158.tif 000002
【特許請求の範囲】
【請求項１】
端末を支持する端末受け部と、
端末受け部に設けられ端末受け部にセットされる端末の荷重によって移動する可動体と、
可動体に設けられていて端末の荷重で可動体が移動することにより端末側の接点に接触する可動接点と、
可動体と可動接点との間に介在し可動接点を端末側の接点に弾性力によって押し付ける弾性体とを備えていることを特徴とする端末置き台。
【請求項２】
可動接点は、端末置き台本体に形成された孔から外方に進出しかつ後退することができるように構成され可動体に端末の荷重がかからない状態では端末置き台本体から後退することを特徴とする請求項１記載の端末置き台。
【請求項３】
端末置き台本体の孔を開閉するシャッタが設けられていて、可動接点が端末置き台本体の上記孔から後退するとこの孔を上記シャッタが閉じ、可動接点が端末置き台本体の上記孔から外方に進出する向きの力が上記シャッタを上記孔から退避させて上記孔を開放する力として作用するように構成されている請求項２記載の端末置き台。
【請求項４】
可動体は揺動体からなり、端末受け部にセットされる端末の荷重が上記揺動体の一端部にかかるように構成されている請求項１記載の端末置き台。
【請求項５】
可動接点は端末の荷重による可動体の移動で横方向に移動し端末の接点に接触するように構成されている請求項１記載の端末置き台。
【請求項６】
端末と端末受け部は相互に嵌り合って所定の位置にセットされることにより所定の姿勢が保たれる請求項１から５のいずれかに記載の端末置き台。
【請求項７】
端末が所定の姿勢に保たれることによって初めて可動体が端末の荷重を受けて移動するように構成されている請求項６記載の端末置き台。
【発明の詳細な説明】
【０００１】
【発明の属する技術分野】
本発明は、例えば、レストランなどで使用されるオーダー端末、コンピュータ端末などの置き台に関するもので、置き台側と端末側とを電気的に接続することができるようにしたものである。
【０００２】
【従来の技術】
携帯電話などの携帯端末が内蔵する電源電池を充電するために、クレードルと称する受け台に携帯端末をセットすると、受け台と携帯端末が電気的に接続されるように構成したものが知られている。また、デジタルカメラの置き台には、デジタルカメラの充電機能と、デジタルカメラとコンピュータとの間で写真画像情報などの授受機能をもたせたものも知られている。このような従来の端末置き台は、置き台側に固定された接点に、端末側の接点を直接接続する構造になっている。また、端末側と置き台側の上下端にコネクタを設け、端末を置き台にセットすると、双方のコネクタが嵌まり合い、電気的に接続されるように構成したものもある。
【０００３】
ここで、クレードルに関する公知例を挙げると、情報端末の本体を載置する台座部と、この台座部に一体に形成され、搭載された端末本体の左右の側面および後面を少なくとも保持する情報端末本体保持部を有し、この保持部の一部に、情報端末の保護カバーすなわち情報端末がパーソナルコンピュータであればその蓋の部分を保持するためのスリット状のカバー収納部が設けられた携帯情報端末保持用クレードルが知られている（例えば、特許文献１参照）。
また、端末の両側面にそれぞれ複数設けられたキー溝と、弾性部材により付勢され、端末の各側面およびキー溝との係接に応じて出没自在に、かつ端末をクレードルに固定した際にキー溝に位置を合わせて設けられたクレードル側の突起とを備え、クレードルは前部または後部に設けられた段差により厚肉部と薄肉部で構成され、薄肉部に設けられた突起の断面を円形状にして、クレードルから端末を取り外す際に端末を円形状の突起を回転軸として薄肉側に押し下げて取り外すようにしたものも知られている（例えば、特許文献２参照）。
【０００４】
【特許文献１】
特開２００２−３０４２３５号公報
【特許文献２】
特開平１０−９８５１５号公報
【０００５】
【発明が解決しようとする課題】
携帯端末のように軽い端末の場合、従来例のように、端末の接点を置き台の接点に直接接続する構造であっても大きな不具合はない。しかし、重量の重い端末を支持する置き台であって、端末を置き台にセットした状態で端末と置き台とを電気的に接続するようにした置き台では、端末とその置き台双方を直接接続する構造にすると、接続部分に端末の荷重がかかって接続部分が破損あるいは変形しやすいという難点がある。例えば、レストランにおけるオーダーシステムに用いられるような１２インチを越す液晶ディスプレイを主体とした端末の場合、端末の重量は内蔵する電源電池を含めると２ｋｇ近くになるため、これをセットする置き台の電気的接続部で端末の荷重を受けるものとすると、電気的接続部に過大な荷重がかかる。置き台に対して端末が正しい姿勢でセットされていればさほど問題にはならないが、置き台に対して端末の位置がずれ、あるいは傾いていると、端末と置き台とが電気的につながらないばかりでなく、電気的な接続部分に無理な力がかかり、電気的接続部が破損し、あるいは変形しやすいという問題がある。
【０００６】
また、特許文献１、特許文献２に記載されているように、端末の側面に設けられた接点を、置き台側の側面に設けられた接点に接触させる構造のものにおいては、双方の接点がある程度の力で接触しあう必要があることから、接点を付勢する必要がある。端末が携帯電話のような小型軽量の機器であれば、接点の付勢力は小さくてもよく、大きな不具合にはならないが、重量のある端末の置き台において接点を付勢する構成にすると、付勢力を端末の重量に応じて大きくする必要があり、端末着脱時の操作性が損なわれるとともに、接点が痛み易いという難点がある。
【０００７】
本発明は以上のような従来技術の問題点を解消するためになされたもので、端末をその置き台にセットした状態で、端末の過重が電気的な接続部にかからないようにして、電気的接続部の破損、あるいは変形を防止することができる端末置き台を提供することを目的とする。
本発明はまた、端末が置き台に対して正しい位置で、かつ、正しい姿勢でなければセットされないようにし、この点からも電気的接続部の破損、あるいは変形を防止し、電気的接続不良を防止することができる端末置き台を提供することを目的とする。
本発明はまた、端末の荷重を利用して端末置き台側の接点を端末側の接点に押し付けるようにすることにより、端末着脱の操作性を向上させ、かつ、双方の接点の傷みを軽減する端末置き台を提供することを目的とする。
【０００８】
【課題を解決するための手段】
請求項１記載の発明は、端末を支持する端末受け部と、端末受け部に設けられ端末受け部にセットされる端末の荷重によって移動する可動体と、可動体に設けられていて端末の荷重で可動体が移動することにより端末側の接点に接触する可動接点と、可動体と可動接点との間に介在し可動接点を端末側の接点に弾性力によって押し付ける弾性体とを備えていることを特徴とする。
【０００９】
端末受け部に端末をセットすると、可動体が端末の荷重を受けて移動する。この可動体の移動により可動接点が移動して端末側の接点に接触するが、可動体と可動接点との間に弾性体が介在しているので、可動接点が端末側の接点に接触した状態で弾性体が蓄勢され、蓄積された弾性力によって可動接点を端末の接点に押し付ける。端末の荷重の大半は端末受け部にかかる。端末置き台に端末を着脱するときは可動接点に付勢力はかからないから、端末着脱の操作性がよくなる。また、可動接点自体は常時付勢されるものではないから、端末の着脱を繰り返すことにより可動接点が傷むこともない。
【００１０】
請求項２記載の発明は、請求項１記載の発明において、可動接点は、端末置き台本体に形成された孔から外方に進出しかつ後退することができるように構成され、可動体に端末の荷重がかからない状態では端末置き台本体から後退することを特徴とする。
請求項３記載の発明は、請求項２記載の発明において、端末置き台本体の孔を開閉するシャッタが設けられていて、可動接点が端末置き台本体の上記孔から後退するとこの孔をシャッタが閉じ、可動接点が端末置き台本体の上記孔から外方に進出する向きの力がシャッタを上記孔から退避させて孔を開放する力として作用するように構成されていることを特徴とする。
端末を端末置き台から取り外した状態では、可動接点部分がシャッタで遮蔽され、可動接点が人の手で触られて変形し、あるいは汚れる、というような不具合を防止することができる。
【００１１】
請求項４記載の発明は、請求項１記載の発明において、可動体は揺動体からなり、端末受け部にセットされる端末の荷重が上記揺動体の一端部にかかるように構成されていることを特徴とする。
請求項５記載の発明は、請求項１記載の発明において、可動接点は端末の荷重による可動体の移動で横方向に移動し端末の接点に接触するように構成されていることを特徴とする。
可動接点は横方向に移動して端末の接点に接触するため、端末の荷重が可動接点にかかることがなく、可動接点の破損、変形などを未然に防止することができる。
【００１２】
請求項６記載の発明は、請求項１から５のいずれかに記載の発明において、端末と端末受け部は相互に嵌まり合って所定の位置にセットされることにより所定の姿勢が保たれることを特徴とする。
端末と端末受け部が所定の位置にセットされることによって、端末受け台に端末が正しい姿勢でセットされる。
【００１３】
請求項７記載の発明は、請求項６記載の発明において、端末が所定の姿勢に保たれることによって初めて可動体が端末の荷重を受けて移動するように構成されていることを特徴とする。
端末受け台に端末が正しい姿勢でセットされない限り、可動体が移動することはなく、可動接点が進出して端末の接点に接触することもない。したがって、可動接点および端末側の接点に無理な力がかかることもなく、接点の破損、変形を未然に防止することができる。
【００１４】
【発明の実施の形態】
以下、図面を参照しながら本発明にかかる端末置き台の実施の形態について説明する。
まず、本発明の実施形態の概略を、図７を参照しながら説明する。図７において、符号１０は端末を、２０は端末置き台を示している。端末１０は例えばレストランなどにおける接客管理装置の端末で、タッチパネルを兼ねたディスプレイ１４にメニューが写真とともに表示されるものである。ディスプレイ１４に表示されているメニューの中から望みのメニューを指で触ると、そのメニューがオーダーされたものとして厨房の端末、中央管理装置などに信号が送信されるようになっている。端末１０の前面下端部は前方に突出した突堤１２となっており、この突堤１２の長さ方向中央部すなわち左右方向中央部は切除されて凹部１８が形成されている。この凹部１８の左右両端を画する上記突堤１２の切除面１６は傾斜面になっていて、上記凹部１８は末広がりになっている。
【００１５】
上記端末置き台２０は、端末１０を支持する端末受け部２２と、この端末受け部２２が固定された端末置き台本体２４を有してなる。端末受け部２２は端末１０の下端部を受けることができるように側面断面がＵ字状に折り曲げられている。端末受け部２２の左右方向の寸法は端末１０の左右方向の寸法より短く、端末１０の上記凹部１８の幅とほぼ同じ幅になっている。端末受け部２２で端末１０の下端部を受けた状態で、端末受け部２２の前板２６が端末１０の凹部１８に嵌り、上記前板２６が端末１０の前後方向の位置を規制するようになっている。また、上記前板２６の左右両端は端末１０の凹部１８を画する上記切除面１６に沿う傾斜面になっていて、この傾斜面に上記切除面１６が当たることにより、端末１０の左右方向の位置および端末置き台２０に対する端末１０の姿勢が規制されるようになっている。換言すれば、端末置き台２０に対し、端末１０が正しい位置で、かつ、正しい姿勢で端末受け部２２に挿入されなければ、端末置き台２０に端末１０をセットすることができないようになっている。
【００１６】
次に、端末置き台２０の具体的な構成を説明する。図１ないし図４において、端末置き台２０は、端末置き台本体２４、端末受け部２２、可動体３０、弾性体４０、シャッタ５０、裏板６０を主な構成要素として具備している。端末置き台本体２４を基礎にして上記各部材が組み込まれ、端末置き台２０が構成されている。端末置き台本体２４は、金属板の左右両側縁を２回にわたって９０度折り曲げることにより、裏面が開放した薄い箱型の部材で、その下端に、端末受け部２２がネジ止めによって固定されている。側面断面Ｕ字形に形成された端末受け部２２の上記Ｕ字形の部分に端末置き台本体２４の下端部が挿入され、端末置き台本体２４の前面と端末受け部２２の前板２６との間に上記端末１０を挿入することができるだけの間隔をおいて、端末置き台本体２４と端末受け部２２がネジ止めされている。端末置き台本体２４の高さ方向中間部よりやや上寄りの位置に複数個の丸孔２８が横方向に並べて形成されている。これらの孔２８は、後で詳細に説明する可動接点４２が進退する孔である。
【００１７】
端末置き台本体２４には可動体３０が組み込まれている。可動体３０は板状の部材からなり、下端部を直角に折り曲げることによってＬ字状に形成されている。可動体３０の大部分は端末置き台本体２４内にあって端末置き台本体２４の上下方向に沿っている。可動体３０の一端部である上記Ｌ字状の折曲部３２は、上記端末受け部２２の内底面にほぼ沿うようにして、端末置き台本体２４の下端部に形成されたスリット状の空間から端末置き台本体２４外に進出している。可動体３０は、本体部分と上記折曲部３２との境界である角部３５を支点として垂直面内において揺動可能に、端末置き台本体２４に配置されている。したがって、可動体３０は揺動体として機能する。可動体３０の上端部は、幅方向両側を残して切除され、幅方向両側に角状の突起３４が形成されている。これら角状の突起３４の上端部は鉤状に折り曲げられている。可動体３０は、次に述べる弾性体４０が一体に取り付けられることもあって、図５（ａ）に示すように、角部３５を支点として端末置き台本体２４の背面側に傾いた態勢をとっている。この態勢において、可動体３０の上記折曲部３２は、端末受け部２２の内底面から浮き上がっている。
【００１８】
図２、図３に示すように、可動体３０の裏面側には弾性体４０が取り付けられている。弾性体４０は端子基板としての機能を有しており、材質は樹脂などの電気絶縁材であるとともに、弾性を有している。弾性体４０は縦方向の複数のスリットによって複数の弾性部に区分され、各弾性部の上端部を貫通して可動接点４２が固着されている。各可動接点４２には背面側からリード線の一端が接続され、リード線の他端は適宜の半田付けランドに半田付けされ、この半田付けランドを経由して各可動接点４２がコネクタの所定の接点に電気的に接続されている。
弾性体４０はその基部が可動体３０にネジ止めされ、各弾性部の機能が損なわれないように考慮されている。各可動接点４２は可動体３０の左右の突起３４間に位置している。可動体３０とともに弾性体４０が揺動することによって、各可動接点４２が端末置き台本体２４の前記各孔２８から端末置き台本体２４の外方に向かって進出しまた後退するように各部の寸法が設定されている。
【００１９】
端末置き台本体２４にはシャッタ５０が組み付けられている。図４にも示すように、シャッタ５０は、薄板で形成されていて、横長のシャッタ本体部分と、このシャッタ本体部分の両端部から側方すなわち長手方向に直交する方向に伸び出た一対の腕部５２を有している。一対の腕部５２はＶ字形に折り曲げられるとともに、一対の腕部５２の先端部は小さな円弧を描くようにして折り返され、この折り返し部には軸５４が挿入されている。この軸５４は、端末置き台本体２４の背面側の折曲部に形成された一対の軸受け部２５に掛けられ、軸５４を中心としてシャッタ５０を垂直面内において回転可能に支持している。シャッタ５０は、その重量によって、通常は図５（ａ）に示すように反時計方向に回転し、シャッタ５０の本体部分が、端末置き台本体２４に形成されている前記孔２８の背後に位置した状態で、したがって、上記孔２８を遮蔽した状態で回転が阻止されている。この状態で、シャッタ５０の対をなすＶ字形腕部５２の背部直近に可動体３０の突起３４が位置している。また、前記可動接点４２がシャッタ５０本体の背後に間隔を置いて位置している。
【００２０】
可動体３０が図５（ａ）において反時計方向に回転すると、可動体３０の一対の突起３４がシャッタ５０の一対の腕部５２を背後から押し、シャッタ５０を、軸５４を中心として時計方向に回転させ、シャッタ５０の本体部分が、端末置き台本体２４の各孔２８の背後から上方に退避し、各孔２８を開放するように構成されている。また、可動体３０の上記回転により、可動体３０と一体の弾性体４０も回転し、弾性体４０が有している可動接点４２が、シャッタ５０の一対の腕部５２間と可動体３０の一対の突起３４間から、また、上記各孔２８を通して端末置き台本体２４の前面側に突出するように構成されている。
端末置き台本体２４に上記の機構部品が組み込まれた後で、端末置き台本体２４の背後から裏蓋６０が被せられ、ネジ止めされている。
【００２１】
次に、上記実施形態の動作を、使用方法とともに順を追って説明する。端末置き台２０に端末１０がセットされていない状態では、図５（ａ）に示すように、可動体３０が弾性体４０とともに後方に傾き、上記のようにシャッタ５０の本体部分が、端末置き台本体２４に形成されている孔２８を遮蔽し、可動接点４２がシャッタ５０本体の背後に間隔を置いて位置している。この状態で端末受け部２２に端末１０をセットしたとする。ここでは、端末受け部２２に対して端末１０が所定の相対位置に、かつ、所定の姿勢でセットされたとする。これによって端末１０に荷重が可動体３０の一端部である折曲部３２にかかり、折曲部３２が下に押されて、可動体３０が図５（ｂ）に示すように角部３５を支点として反時計方向に揺動する。この可動体３０の揺動によって、その角状の突起３４がシャッタ５０の一対の腕部５２を背後から押し始め、シャッタ５０を時計方向に回転させてその本体部分を端末置き台本体２４の孔２８の背後から退避させ、孔２８を開放する。
【００２２】
可動体３０がさらに回転すると、図５（ｃ）に示すように、シャッタ５０はさらに時計方向に回転し、可動体３０と一体の弾性体４０も回転することによって、弾性体４０の先端部の可動接点４２が上記孔２８を通して端末置き台本体２４の前面から突出する。端末置き台２０に端末１０が正しい位置に正しい姿勢でセットされた状態では、図５（ｄ）、図６（ａ）に示すように、可動体３０は揺動可能な限界位置まで揺動し、可動接点４２の端末置き台本体２４の前面からの突出量は最大となる。
【００２３】
ただし、端末置き台本体２４の前面には端末１０がセットされているので、端末１０の背面に設けられている複数の接点（図示されず）それぞれに各可動接点４２が略水平方向に移動して背後から接触し、各可動接点４２の突出が規制される。その結果、図６（ｂ）に示すように、弾性体４０に弾性力が畜勢され、この弾性力で、可動接点４２が端末１０の接点に押し付けられる。この押し付け力により、可動接点４２と端末１０側の接点とが確実に、電気的に接続される。
端末置き台２０から端末１０を取り外すときは、上記の動作と逆に、可動接点４２の後退、シャッタ５０による孔２８の閉鎖、すべての部材の原位置への復帰、という順に動作する。
【００２４】
以上説明した本発明の実施形態によれば、端末受け部２２に端末１０をセットすると、可動体３０が端末１０の荷重を受けて移動し、可動体３０とともに可動接点４２が移動して端末１０側の接点に接触するようになっている。そして、可動体３０と可動接点４２との間には弾性体４０が介在しているため、可動接点４２が端末１０側の接点に接触した状態で弾性体４０が蓄勢され、蓄積された弾性力によって可動接点４２を端末１０の接点に押し付けることになり、可動接点４２と端末１０側の接点とが確実に接続される。また、端末１０の荷重の大半は端末受け部２２にかかり、可動接点に端末１０の荷重がかかることはないから、端末受け台２０と端末１０双方の接点が破損し、あるいは変形するというような問題を未然に防止することができる。
端末置き台２０に端末１０を着脱するときは可動接点４２に付勢力はかからないから、端末着脱の操作性がよくなる。また、可動接点４２自体は常時付勢されるものではないから、端末１０の着脱を繰り返すことにより可動接点４２が傷むこともない。
【００２５】
可動接点４２が進退する孔２８を開閉するシャッタ５０が設けられていて、可動接点４２が孔２８から後退した状態では、上記孔２８をシャッタ５０で遮蔽するようにしたため、端末１０が端末受け台２０にセットされない状態で、可動接点４２を触ることができず、可動接点４２のいたずらによる破損や変形などを防止することができる。
【００２６】
可動接点４２は横方向に移動して端末１０の接点に接触するように構成されているため、端末の荷重が可動接点にかかることがなく、この点からも可動接点の破損、変形などを防止することができる。
【００２７】
端末受け台２０は、端末１０が正しい位置で、かつ、正しい姿勢でセットされない限り可動体３０が端末１０の荷重を受けて移動することがないように構成したため、端末１０と端末受け台２０との電気的接点部分に無理な力が加わることを未然に防ぐことができ、電気的接続部の破損、変形などを防止することができる。
【００２８】
本発明にかかる端末置き台とこれにセットされる端末との間で電気的に接続されるものであれば、電気信号の種類は問わない。最も一般的に考えられるものとしては、端末置き台側に備えられた充電回路から端末の電源としての二次電池に充電電流を供給することが考えられる。また、端末がレストランなどで用いられるオーダー端末であるとすれば、充電電流のほかに、メニューを表示するための画像情報信号、オーダー情報信号、その他、あらゆる信号が考えられる。
【００２９】
本発明は、図示の実施形態のようなレストランにおけるオーダー端末のための端末置き台のみでなく、携帯電話やデジタルカメラなどの充電用クレードルとして、あるいは、デジタルカメラの充電を兼ねたパーソナルコンピュータへの画像信号出力用のクレードルとして、その他、置き台と端末とを電気的に接続する必要があるあらゆる機器の置き台として適用可能である。特に、ある程度重量のある端末の置き台として有効である。
【００３０】
【発明の効果】
請求項１および２記載の発明によれば、可動接点が端末側の接点に接触した状態で弾性体が蓄勢され、畜勢された弾性力によって可動接点を端末の接点に押し付けることになるため、可動接点と端末側の接点とが確実に接続されるという効果がある。また、端末の荷重の大半は端末受け部にかかり、可動接点に端末の荷重がかかることはないから、端末受け台と端末双方の接点が破損し、あるいは変形するというような問題を未然に防止することができる。端末置き台に端末を着脱するときは可動接点に付勢力はかからないから、端末着脱の操作性がよくなる。また、可動接点自体は常時付勢されるものではないから、端末の着脱を繰り返すことにより可動接点が傷むこともない。
【００３１】
請求項３記載の発明によれば、端末を端末置き台から取り外した状態では、可動接点部分がシャッタで遮蔽されるため、可動接点が人の手で触られて変形し、あるいは汚れる、というような不具合を防止することができる。
請求項５記載の発明によれば、可動接点は横方向に移動して端末の接点に接触するため、端末の荷重が可動接点にかかることがなく、可動接点の破損、変形などを未然に防止することができる。
【００３２】
請求項６および７記載の発明によれば、端末受け台に端末が正しい姿勢でセットされない限り、可動体が移動することもないから、可動接点が進出して端末の接点に接触することもない。したがって、可動接点および端末側の接点に無理な力がかかることもなく、接点の破損、変形を未然に防止することができる。
【図面の簡単な説明】
【図１】本発明にかかる端末受け台の実施の形態を示す分解斜視図である。
【図２】上記実施の形態を示す（ａ）は正面図、（ｂ）は側面断面図、（ｃ）は裏蓋を除去した状態で示す背面図である。
【図３】上記実施形態中の可動部分のユニットを示す（ａ）は側面図、（ｂ）は背面図である。
【図４】上記実施形態中のシャッタを示す正面図である。
【図５】上記実施の形態の動作を順に示す側面断面図である。
【図６】図５に示す動作に続く上記実施の形態の動作を順に示す側面断面図である。
【図７】上記実施の形態にかかる端末受け台とこれにセットされる端末の概要を示す外観の斜視図である。
【符号の説明】
１０  端末
２０  端末受け台
２２  端末受け部
２８  孔
３０  可動体
３２  可動体の一端部
４０  弾性体
４２  可動接点
５０  シャッタ
【図１】
2004310158.tif 000003
【図２】
2004310158.tif 000004
【図３】
2004310158.tif 000005
【図４】
2004310158.tif 000006
【図５】
2004310158.tif 000007
【図６】
2004310158.tif 000008
【図７】
2004310158.tif 000009